(57)【要約】【課題】仮締切り構造体を水上で容易に構築でき、仮締切り構造体の水中への降下作業も容易に行われる橋脚補修・補強工事に用いる仮締切り構造体の設置工法を提供すること。【解決手段】橋脚１の上方の非水没箇所に吊り足場２を設置し、この吊り足場２に、底部に橋脚１を貫通配設する貫通孔部４が設けられ橋脚１の外周を囲むように設置される仮締切り構造体３を構築し、橋脚１と仮締切り構造体３とに降下用ガイド５を設置し、この降下用ガイド５を介して橋脚１に対し仮締切り構造体３を橋下の水中に降下させ、この仮締切り構造体３底部の前記貫通孔部４と前記橋脚１の外周との間の隙間を止水手段６で止水し、止水完了後に仮締切り構造体３内に入り込んでいる水７を排水して、仮締切り構造体３内を作業用ドライエリアとする。【選択図】図２
2018025039.tif 000002
【特許請求の範囲】
【請求項１】
橋脚の上方の非水没箇所に吊り足場を設置し、この吊り足場に、底部に橋脚を貫通配設する貫通孔部が設けられ橋脚の外周を囲むように設置される仮締切り構造体を構築し、橋脚と仮締切り構造体とに降下用ガイドを設置し、この降下用ガイドを介して橋脚に対し仮締切り構造体を橋下の水中に降下させ、この仮締切り構造体底部の前記貫通孔部と前記橋脚の外周との間の隙間を止水手段で止水し、止水完了後に仮締切り構造体内に入り込んでいる水を排水して、仮締切り構造体内を作業用ドライエリアとすることを特徴とする橋脚補修・補強工事に用いる仮締切り構造体の設置工法。
【請求項２】
前記仮締切り構造体を構築した後、橋脚の上方に平衡保持用天秤を設置し、この平衡保持用天秤の数箇所に設けられた降下索を前記仮締切り構造体に連結し、橋脚と仮締切り構造体とに降下用ガイドを設置し、前記平衡保持用天秤から前記降下索を介して仮締切り構造体を降下させて、前記降下用ガイドを介して橋脚に対し仮締切り構造体を降下させることにより、仮締切り構造体を略平衡状態に維持したまま橋下の水中に降下させることを特徴とする請求項１記載の橋脚補修・補強工事に用いる仮締切り構造体の設置工法。
【請求項３】
前記吊り足場は作業用底部を備え、この作業用底部を備えた吊り足場に前記仮締切り構造体を構築し、橋脚と仮締切り構造体とに降下用ガイドを設置し、前記吊り足場の作業用底部を除去した後、この降下用ガイドを介して橋脚に対し仮締切り構造体を橋下の水中に降下させることを特徴とする請求項１，２のいずれか１項に記載の橋脚補修・補強工事に用いる仮締切り構造体の設置工法。
【請求項４】
前記降下用ガイドは、前記橋脚外周の少なくとも対向部に設置される降下用レールと、前記仮締切り構造体内の少なくとも対向部に前記橋脚に向けて内向きに突設され突出先端に前記降下用レールに嵌合して滑走可能な滑走部材を有する滑走支持アームとから成ることを特徴とする請求項１〜３のいずれか１項に記載の橋脚補修・補強工事に用いる仮締切り構造体の設置工法。
【請求項５】
前記仮締切り構造体は、中心部に前記貫通孔部が設けられている底板材の外周縁に、複数の分割壁材が前記橋脚の周方向および高さ方向に組み合せ連結されて有底筒状に構成されていることを特徴とする請求項１〜４のいずれか１項に記載の橋脚補修・補強工事に用いる仮締切り構造体の設置工法。
【請求項６】
前記止水手段は、前記仮締切り構造体底部の貫通孔部と前記橋脚との間に配設される止水シートと、この止水シートの外側に巻回状態に設けられ引動することにより止水シートを前記橋脚の外周面に密着させる締付索とから成ると共に、この締付索の引動部が前記仮締切り構造体の上部に設けられて、この締付索の引動部を、橋下の水面より上方位置で引動操作し得るように構成されていることを特徴とする請求項１〜５のいずれか１項に記載の橋脚補修・補強工事に用いる仮締切り構造体の設置工法。
【発明の詳細な説明】
【技術分野】
【０００１】
本発明は、河川や海などに設けられている橋脚の補修・補強工事に用いる仮締切り構造体の設置工法に関するものである。
【背景技術】
【０００２】
河川や海などに架けられた橋は、その橋脚に経年劣化や地震などにより損傷を生じると、補修・補強工事を行う。
【０００３】
具体的には、橋脚の周囲に筒状の仮締切り構造体を構築し、この仮締切り構造体によって水がその内側に入らないようにして作業スペース（ドライエリア）を確保する（例えば、特許文献１参照）。
【先行技術文献】
【特許文献】
【０００４】
【特許文献１】特開２００８−２９７７４８号公報
【発明の概要】
【発明が解決しようとする課題】
【０００５】
一般的に仮締切り構造体は、複数の分割壁材が橋脚の周方向および高さ方向に組み合せ連結されて筒状に構築されているが、従来、この分割壁材の連結・固定作業は、その大部分が潜水士により水中で行われている。
【０００６】
しかしながら、水中作業は、非常に厄介で作業期間が長期化してしまうと共に、危険を伴う。
【０００７】
本発明は、このような橋脚補修・補強工事に用いる仮締切り構造体の設置工法の改良に係るもので、仮締切り構造体の構築を水上で容易に行うことができ、構築した仮締切り構造体の水中への降下作業も容易に行われる極めて実用性に優れた橋脚補修・補強工事に用いる仮締切り構造体の設置工法を提供するものである。
【課題を解決するための手段】
【０００８】
添付図面を参照して本発明の要旨を説明する。
【０００９】
橋脚１の上方の非水没箇所に吊り足場２を設置し、この吊り足場２に、底部に橋脚１を貫通配設する貫通孔部４が設けられ橋脚１の外周を囲むように設置される仮締切り構造体３を構築し、橋脚１と仮締切り構造体３とに降下用ガイド５を設置し、この降下用ガイド５を介して橋脚１に対し仮締切り構造体３を橋下の水中に降下させ、この仮締切り構造体３底部の前記貫通孔部４と前記橋脚１の外周との間の隙間を止水手段６で止水し、止水完了後に仮締切り構造体３内に入り込んでいる水７を排水して、仮締切り構造体３内を作業用ドライエリアとすることを特徴とする橋脚補修・補強工事に用いる仮締切り構造体の設置工法に係るものである。
【００１０】
また、前記仮締切り構造体３を構築した後、橋脚１の上方に平衡保持用天秤８を設置し、この平衡保持用天秤８の数箇所に設けられた降下索９を前記仮締切り構造体３に連結し、橋脚１と仮締切り構造体３とに降下用ガイド５を設置し、前記平衡保持用天秤８から前記降下索９を介して仮締切り構造体３を降下させて、前記降下用ガイド５を介して橋脚１に対し仮締切り構造体３を降下させることにより、仮締切り構造体３を略平衡状態に維持したまま橋下の水中に降下させることを特徴とする請求項１記載の橋脚補修・補強工事に用いる仮締切り構造体の設置工法に係るものである。
【００１１】
また、前記吊り足場２は作業用底部10を備え、この作業用底部10を備えた吊り足場２に前記仮締切り構造体３を構築し、橋脚１と仮締切り構造体３とに降下用ガイド５を設置し、前記吊り足場２の作業用底部10を除去した後、この降下用ガイド５を介して橋脚１に対し仮締切り構造体３を橋下の水中に降下させることを特徴とする請求項１，２のいずれか１項に記載の橋脚補修・補強工事に用いる仮締切り構造体の設置工法に係るものである。
【００１２】
また、前記降下用ガイド５は、前記橋脚１外周の少なくとも対向部に設置される降下用レール11と、前記仮締切り構造体３内の少なくとも対向部に前記橋脚１に向けて内向きに突設され突出先端に前記降下用レール11に嵌合して滑走可能な滑走部材13を有する滑走支持アーム12とから成ることを特徴とする請求項１〜３のいずれか１項に記載の橋脚補修・補強工事に用いる仮締切り構造体の設置工法に係るものである。
【００１３】
また、前記仮締切り構造体３は、中心部に前記貫通孔部４が設けられている底板材14の外周縁に、複数の分割壁材15が前記橋脚１の周方向および高さ方向に組み合せ連結されて有底筒状に構成されていることを特徴とする請求項１〜４のいずれか１項に記載の橋脚補修・補強工事に用いる仮締切り構造体の設置工法に係るものである。
【００１４】
また、前記止水手段６は、前記仮締切り構造体３底部の貫通孔部４と前記橋脚１との間に配設される止水シート16と、この止水シート16の外側に巻回状態に設けられ引動することにより止水シート16を前記橋脚１の外周面に密着させる締付索17とから成ると共に、この締付索17の引動部18が前記仮締切り構造体３の上部に設けられて、この締付索17の引動部18を、橋下の水面19より上方位置で引動操作し得るように構成されていることを特徴とする請求項１〜５のいずれか１項に記載の橋脚補修・補強工事に用いる仮締切り構造体の設置工法に係るものである。
【発明の効果】
【００１５】
本発明は上述のように、橋脚の上方の非水没箇所に吊り足場を設置し、この吊り足場に、底部に橋脚を貫通配設する貫通孔部が設けられ橋脚の外周を囲むように設置される仮締切り構造体を構築するから、潜水士による厄介な水中作業を要することなく、吊り足場を利用して水上（非水没箇所）で仮締切り構造体を容易に且つ短期間で構築でき、しかも、橋脚と仮締切り構造体とに設置する降下用ガイドにより、水上で構築した仮締切り構造体を容易に且つ安定的に降下させて水中へ設置することができ、その後、この仮締切り構造体底部の貫通孔部と橋脚の外周との間の隙間を止水手段で止水し、止水完了後に仮締切り構造体内に入り込んでいる水を排水することによって仮締切り構造体内を作業用ドライエリアにできる極めて施工性に優れ、実用性に優れた橋脚補修・補強工事に用いる仮締切り構造体の設置工法となる。
【００１６】
また、請求項２記載の発明においては、移動平衡保持用天秤の数箇所に設けられた降下索を前記仮締切り構造体に連結し、この平衡保持用天秤から降下索を介して仮締切り構造体を降下させるから、前記降下用ガイドの降下ガイド作用に加えて、仮締切り構造体を傾かずに略平衡状態のまま安定的に降下させることができる一層実用性に優れた橋脚補修・補強工事に用いる仮締切り構造体の設置工法となる。
【００１７】
また、請求項３記載の発明においては、仮締切り構造体の構築が容易に行われる作業用底部付の吊り足場を簡易構成にして容易に設計実現可能となり、しかもこの吊り足場の作業用底部が仮締切り構造体を降下させる際の邪魔にならないなど、一層実用性に優れた橋脚補修・補強工事に用いる仮締切り構造体の設置工法となる。
【００１８】
また、請求項４記載の発明においては、前記作用・効果を確実に発揮する降下用ガイドを簡易構成にして容易に設計実現可能となる一層実用性に優れた橋脚補修・補強工事に用いる仮締切り構造体の設置工法となる。
【００１９】
また、請求項５記載の発明においては、構築性に優れた仮締切り構造体を簡易構成にして容易に設計実現可能となる一層実用性に優れた橋脚補修・補強工事に用いる仮締切り構造体の設置工法となる。
【００２０】
また、請求項６記載の発明においては、仮締切り構造体底部の貫通孔部と橋脚の外周との間の隙間を簡易操作により止水可能となると共に、この止水作業を面倒な水中作業でなく水上で行うことが可能な止水手段を、簡易構成にして容易に設計実現可能となる一層実用性に優れた橋脚補修・補強工事に用いる仮締切り構造体の設置工法となる。
【図面の簡単な説明】
【００２１】
【図１】本実施例の橋脚に吊り足場を設置した状態を示す説明図である。
【図２】図１に続いて、吊り足場に仮締切り構造体を構築して平衡保持用天秤に連結し、仮締切り構造体と橋脚とに降下用ガイドを設置した状態を示す説明図である。
【図３】図２に続いて、吊り足場の作業用底部を除去し、降下用ガイドを介して仮締切り構造体を橋下の水中に降下させ、橋脚に浮上防止用ブラケットを固定して仮締切り構造体の浮上を防止した状態を示す説明図である。
【図４】図３に続いて、仮締切り構造体底部の貫通孔部と、橋脚外周との間の隙間を止水手段で止水（一次止水）した状態を示す説明図である。
【図５】図４に続いて、二次止水し、仮締切り構造体内の水を排水して仮締切り構造体内を作業用ドライエリアとした状態を示す説明図である。
【図６】本実施例の平衡保持用天秤、並びに平衡保持用天秤と仮締切り構造体との連結構造を示す説明平面図である。
【図７】本実施例の降下用ガイドを示す説明平面図である。
【図８】本実施例の止水手段（止水チューブ省略）を示す説明斜視図である。
【図９】本実施例の止水手段（止水チューブ省略）を示す別角度からの説明斜視図である。
【図１０】本実施例の止水手段を示す説明部分拡大断面図である。
【発明を実施するための形態】
【００２２】
好適と考える本発明の実施形態を、図面に基づいて本発明の作用を示して簡単に説明する。
【００２３】
橋脚１の上方の非水没箇所に吊り足場２を設置し、この吊り足場２に、底部に橋脚１を貫通配設する貫通孔部４が設けられ橋脚１の外周を囲むように設置される仮締切り構造体３を構築する。
【００２４】
即ち、潜水士による厄介な水中作業を要することなく、吊り足場２を利用して水上（非水没箇所）で仮締切り構造体３を容易に且つ短期間で構築することができる。
【００２５】
次いで、橋脚１と仮締切り構造体３とに降下用ガイド５を設置し、この降下用ガイド５を介して橋脚１に対し仮締切り構造体３を橋下の水中に降下させる。
【００２６】
即ち、降下用ガイド５により、仮締切り構造体３を容易に且つ安定的に降下させて水中へ設置することができる。
【００２７】
次いで、この仮締切り構造体３底部の前記貫通孔部４と前記橋脚１の外周との間の隙間を止水手段６で止水し、止水完了後に仮締切り構造体３内に入り込んでいる水７を排水して、仮締切り構造体３内を作業用ドライエリアとし、この作業用ドライエリア内で作業者が橋脚１の補修・補強工事作業を行うことができる。
【実施例】
【００２８】
本発明の具体的な実施例について図面に基づいて説明する。
【００２９】
本実施例は、河川や海などに架けられた橋の、橋脚１の補修・補強工事に用いる仮締切り構造体３の設置工法に関するものである。また、図面は円柱形の橋脚１を図示しているが、この形の橋脚１への設置工法に限定されるものではなく、橋脚１の形状に応じて仮締切り構造体３の形状等は適宜設計変更可能である。
【００３０】
以下、設置手順を説明する。
【００３１】
先ず、図１に示すように、橋脚１の上方の非水没箇所に吊り足場２を設置する。
【００３２】
具体的には、この吊り足場２は、橋脚１の上方部の全周囲を囲うようにして設置されていると共に、橋脚１の周囲に配設する例えば平面視リング形の作業用底部10（作業床）を備えていて、橋脚１上方部、即ち水上での作業者の作業スペースを確保している。
【００３３】
次いで、この吊り足場２に、底部に橋脚１を貫通配設する貫通孔部４が設けられ橋脚１の外周を囲むように設置される仮締切り構造体３を構築する。
【００３４】
具体的には、この仮締切り構造体３は、中心部に前記貫通孔部４が設けられている底板材14の外周縁に、複数の分割壁材15が前記橋脚１の周方向および高さ方向に組み合せ連結されて有底円筒状に構成されている。
【００３５】
また、この仮締切り構造体３は、先ず、吊り足場２で橋脚１の周囲に平面視リング状の前記底板材14を構築する。
【００３６】
この底板材14は、平面視リング状且つ板状の床板34の内縁部に、リング状の金属製内フレーム26が付設されると共に、床板34の外縁部にリング状の金属製外フレーム33が付設されて板状体に構成されている。
【００３７】
また、この底板材14は、その周方向に略等間隔を置いた四箇所に上面が一段低くなる凹所35が設けられ、この各凹所35には、後述する案内ローラー27が二個ずつ設けられている（図８，図９参照）。
【００３８】
この底板材14を吊り足場２の作業用底部10上に置き、次いで、この底板材14の外周縁部上に前記分割壁材15としての湾曲板状のライナープレート15を、前記橋脚１の周方向および高さ方向に複数組み合せ連結して所要高さの円筒状囲い壁20を形成することにより、有底円筒状の前記仮締切り構造体３を構築する（図２参照）。
【００３９】
また、底板材14と分割壁材15との連結構造は、前記外フレーム33が断面Ｈ形に構成されていて、この外フレーム33の上溝部に分割壁材15が嵌合連結されている（図８参照）。
【００４０】
次いで、橋脚１の上方に平衡保持用天秤８を設置し、この平衡保持用天秤８の数箇所に設けられた降下索９を前記仮締切り構造体３に連結する。
【００４１】
具体的には、平衡保持用天秤８は、図６に示すように、平面視正方形状の枠体で構成されていて、その四隅部（四箇所の角部）が前記橋脚１の幅広上部の四箇所に固定された吊り索21に連結されることによって、中央の空間部に前記橋脚１を貫通配設しつつ橋脚１の上方に水平吊り下げ状態で設置されており、さらに、この平衡保持用天秤８の四箇所の角部とこの各角部に対面する前記橋脚１の四箇所の外周面との間にパイプサポート22を架設して突っ張ることにより、平衡保持用天秤８が橋脚１に対して揺動不能状態に設置されている。
【００４２】
また、この平衡保持用天秤８は、その対角間距離が、前記仮締切り構造体３の囲い壁20の直径幅寸法と同等の距離寸法に設定構成されており、この平衡保持用天秤８の四隅部に前記降下索９が設けられ、この四隅部の降下索９が前記仮締切り構造体３の周方向に等間隔を置いた四箇所に連結されている。
【００４３】
また、この四箇所の各降下索９は、チェーンブロックなどの昇降装置（図示省略）によって昇降駆動可能に構成されており、昇降装置の制御により平衡保持用天秤８に対し仮締切り構造体３を降下移動し得るように設けられていると共に、この際、降下索９を介して連結されている平衡保持用天秤８が揺動不能な水平状態に固定されていることにより、仮締切り構造体３が傾くことなく略平衡状態に保たれて安定的に降下可能となるように構成されている。
【００４４】
次いで、昇降装置により仮締切り構造体３を少し上昇させ、後述する止水手段６を前記仮締切り構造体３の底部に設置した後、橋脚１と仮締切り構造体３とに降下用ガイド５を設置する（図２参照）。
【００４５】
具体的には、前記降下用ガイド５は、前記橋脚１外周面の少なくとも対向部に設置される上下方向に長さを有する降下用レール11と、前記仮締切り構造体３内の少なくとも対向部に前記橋脚１に向けて内向きに突設され突出先端に前記降下用レール11に嵌合して滑走可能な滑走部材13としてのボールベアリング13を有する滑走支持アーム12とで構成されている。
【００４６】
降下用レール11は、断面溝形（コ字形）の金属製長尺材（チャンネル材）で構成されており、その溝底部を前記橋脚１の外周面に沿わせて橋脚１に固定されている。
【００４７】
また、この降下用レール11は、橋脚１の外周面に、その周方向に等間隔を置いた四箇所（橋脚１の平面視中心に対し角度０度，９０度，１８０度，２７０度の各位置の外周面）に固定されている（図７参照）。
【００４８】
一方、滑走支持アーム12は、詳しく図示していないが断面Ｈ字形の金属製長尺材で構成されており、前記仮締切り構造体３の囲い壁20の内周面に、その周方向に等間隔を置いた四箇所（仮締切り構造体３の平面視中心に対し角度０度，９０度，１８０度，２７０度の各位置の内周面）に、中心に向けて水平突設するように構築し、この四箇所の滑走支持アーム12の先端の前記ボールベアリング13を、この滑走支持アーム12構築前に橋脚１に固定されている四箇所の前記降下用レール11に滑走可能に嵌合する（図７参照）。図中符号23は滑走支持アーム12の水平突設状態を補強すると共に、仮締切り構造体３の保形強度向上にも寄与する補強枠である。
【００４９】
また、このボールベアリング13付の滑走支持アーム12は、仮締切り構造体３内で上下二段に設けられている。
【００５０】
従って、四本（四箇所）の降下用レール11を合計八個のボールベアリング13が滑走することにより、橋脚１に対し仮締切り構造体３がスムーズに降下移動可能となるように構成されている。
【００５１】
次いで、前記吊り足場２の作業用底部10を除去し、前記昇降装置により平衡保持用天秤８から前記降下索９を介して仮締切り構造体３を降下させ、前記降下用ガイド５を介して橋脚１に対し仮締切り構造体３を降下させることにより、仮締切り構造体３を略平衡状態に維持したまま橋下の水中に降下させ、その後、仮締切り構造体３の囲い壁20の上縁部より上方に浮上防止用ブラケット24を配して橋脚１に固定し、この浮上防止用ブラケット24が仮締切り構造体３の囲い壁20の上縁部（後述する天端フレーム36）に接することによって、浮力により上昇しようとする仮締切り構造体３を水中に止める。図中符号25は、仮締切り構造体３の底板材14の上面と囲い壁20の内面との間の複数箇所に架け渡し状態に固定されることで底板材14と囲い壁20との連結強度を増強して、浮力を受ける底板部14が囲い壁20に対して浮上しようとすることを阻止する補強部材である。
【００５２】
尚、図面は、仮締切り構造体３を橋脚１の基礎（フーチング）まで到達させずに橋脚１の途中の位置に固定した場合を示している。
【００５３】
次いで、この仮締切り構造体３底部の前記貫通孔部４と前記橋脚１の外周との間の隙間を前記止水手段６で止水する。
【００５４】
具体的には、本実施例の止水手段６は、前記仮締切り構造体３底部の貫通孔部４と前記橋脚１との間に配設される止水シート16と、この止水シート16の外側に巻回状態に設けられ引動することにより止水シート16を前記橋脚１の外周面に密着させる締付索17とから成り、この締付索17の引動部18が前記仮締切り構造体３の上部に設けられて、この締付索17の引動部18を、橋下の水面19より上方位置で引動操作し得るように構成されている。
【００５５】
更に詳しくは、止水シート16は、底板材14の形状に対応するリング形を呈するものに形成されていて、底板材14の底面全面を下方から覆うように設けられている（図２〜図５及び図８〜図１０参照）。
【００５６】
また、この止水シート16の外側端部は、上方へ折り返されて底板材14の外周縁部に接着されており、止水シート16の内側端部は、上方へ折り返されて前記貫通孔部４の孔縁から底板材14の上面側へと配設され、フリーとなっている。
【００５７】
また、この止水シート16の上方へ折り返された内側端部付近の外側面には、この内側端部付近の略全周に渡って巻回状態に前記締付索17としての金属製ワイヤー17が付設されており、この締付索17の両端部は、所定位置で交差した後、夫々が底板材14に設けられた隣接二箇所の前記凹所35へと別々に配されて前記案内ローラー27に通され、この案内ローラー27により向きを変えられて上方へと案内されている（図８参照）。
【００５８】
また、この締付索17の両端（上端部）は、輪状に形成されてこの輪状端部が前記引動部18として構成され、この夫々の引動部18が、前記囲い壁20の上端に設置された引動装置28としてのレバーブロック（登録商標）に連結されている。
【００５９】
また、囲い壁20上端への引動装置28の設置構造は、囲い壁20の上端に被嵌されている断面Ｈ字状の金属製天端フレーム36の上溝部に、引動装置28に備わるフック部を引っ掛けることによって設置されている。
【００６０】
従って、引動装置28の操作により締付索17の両端の引動部18を引動操作でき、これにより止水シート16の内側端部が絞られて前記橋脚１の外周面に密着し、止水効果が得られるように構成されている。また、引動装置28が囲い壁20の上端に設けられているため、この止水作業の時点で水７が入り込んでいる仮締切り構造体３内で（水中で）作業者が止水作業を行う必要がなく、この止水作業を水上で容易に行うことができる。
【００６１】
また、この締付索17としての金属製ワイヤー17は、図１０に示すように、その外表面が弾性を有する素材製（例えばゴム（天然ゴム若しくは合成ゴム）製）のカバー部材29に覆われており、締付索17の締付時には、このカバー部材29が止水シート16を介して橋脚１の外周面に馴染んで密着し、高い止水効果を発揮するように構成されている。
【００６２】
また、止水シート16の内側端部付近の内側面には、弾性を有する素材製（例えばゴム（天然ゴム若しくは合成ゴム）製）の密着シート30が貼設されていて、この密着シート30が前記締付索17の締付けにより橋脚１の外周面に密着し高い止水効果を発揮するように構成されている（図１０参照）。
【００６３】
また、本実施例の止水手段６は、止水シート16の内側端部付近の外側面の前記締付索17より下方位置にシート滑止用締付索31としての金属製ワイヤー31が、締付索17と同様に内側端部付近の略全周に渡って巻回状態に付設されている。
【００６４】
具体的には、このシート滑止用締付索31の両端部は、前記締付索17のそれとは反対側で交差した後、夫々が、締付索17を配した前記凹所35の反対側に位置する隣接二箇所の凹所35へと別々に配されて前記案内ローラー27に通され、この案内ローラー27により向きを変えられて上方へと案内されている（図９参照）。
【００６５】
また、このシート滑止用締付索31の両端（上端部）は、輪状に形成されてこの輪状端部が引動部37として構成され、この夫々の引動部37が、前記締付索17と同様に前記囲い壁20の上端に設置された引動装置28に連結されている。
【００６６】
従って、引動装置28の操作によりシート滑止用締付索31の両端の引動部37を引動操作でき、これにより止水シート16の内側端部が絞られて前記橋脚１の外周面に圧着し、これによって止水シート16が位置決められるように構成されている。
【００６７】
このシート滑止用締付索31は、前記締付索17を締付けて止水した後、仮締切り構造体３内に入り込んでいる水７を排水した際に、この締付索17が仮締切り構造体３下方に存する水の浮力を受けて上動してしまうことを防止するために設けられている。
【００６８】
即ち、出願人の試験施工実験によると、締付索17を締付けて止水した後に仮締切り構造体３内の水７を排水すると、この締付索17が止水シート16とともに水の浮力で上動してしまうことがあったが、本実施例のように、シート滑止用締付索31を設けて、締付索17を締付けて止水した後、シート滑止用締付索31を引動して止水シート16位置決めし、その後仮締切り構造体３内の水７を排水するようにすると、締付索17の上動が防止されることを確認している。
【００６９】
また、このシート滑止用締付索31引動用の引動装置28が囲い壁20の上端に設けられているため、前記止水作業に続いてこのシート滑止用締付索31引動による止水シート16の位置決め（滑止）作業を行うが、この時点で水７が入り込んでいる仮締切り構造体３内で（水中で）作業者がこの引動作業を行う必要がなく、この作業を水上で容易に行うことができる。
【００７０】
また、本実施例の止水手段６は、二次止水として、弾性を有する素材製（例えばゴム（天然ゴム若しくは合成ゴム）製）のリング状止水チューブ32が用いられている。
【００７１】
この止水チューブ32は、前記止水シート16の内側端部付近の外側であって、前記締付索17より上方に配設されており、前記締付索17の引動による止水（一次止水）が行われて仮締切り構造体３内に入り込んでいる水７が排水された後、止水チューブ32内に空気を充填し、この止水チューブ32を膨張させて締付索17より上方位置の止水シート16も橋脚１外周面に密着させることにより、二重に止水するものである。
【００７２】
更に詳しくは、前記仮締切り構造体３の底板材14を構成する前記内フレーム26は、断面形状がＥ字形に形成されており、この内フレーム26の下段部に前記締付索17が収容配設され、上段部に前記止水チューブ32が収容配設されて止水手段６が底板材14に設置されている。
【００７３】
次いで、止水完了後に仮締切り構造体３内に入り込んでいる水７をポンプ等により排水して、仮締切り構造体３内を作業用ドライエリアとする。
【００７４】
尚、本発明は、本実施例に限られるものではなく、各構成要件の具体的構成は適宜設計し得るものである。
【符号の説明】
【００７５】
１  橋脚
２  吊り足場
３  仮締切り構造体
４  貫通孔部
５  降下用ガイド
６  止水手段
７  水
８  平衡保持用天秤
９  降下索
10  作業用底部
11  降下用レール
12  滑走支持アーム
13  滑走部材
14  底板材
15  分割壁材
16  止水シート
17  締付索
18  引動部
19  水面
【図１】
2018025039.tif 000003
【図２】
2018025039.tif 000004
【図３】
2018025039.tif 000005
【図４】
2018025039.tif 000006
【図５】
2018025039.tif 000007
【図６】
2018025039.tif 000008
【図７】
2018025039.tif 000009
【図８】
2018025039.tif 000010
【図９】
2018025039.tif 000011
【図１０】
2018025039.tif 000012
【手続補正書】
【提出日】平成29年10月16日(2017.10.16)
【手続補正１】
【補正対象書類名】特許請求の範囲
【補正対象項目名】全文
【補正方法】変更
【補正の内容】
【特許請求の範囲】
【請求項１】
橋脚の上方の非水没箇所に吊り足場を設置し、この吊り足場は、作業用底部を備えて、この作業用底部を備えた吊り足場に、底部に橋脚を貫通配設する貫通孔部が設けられ橋脚の外周を囲むように設置される仮締切り構造体を構築し、橋脚と仮締切り構造体とに降下用ガイドを設置し、この降下用ガイドは、上下方向に長さを有する降下用レールが前記橋脚外周に設置されていて、この降下用レールに沿って仮締切り構造体が降下移動可能に構成され、前記吊り足場の作業用底部を除去した後、この降下用ガイドを介して橋脚に対し仮締切り構造体を橋下の水中に降下させ、この仮締切り構造体底部の前記貫通孔部と前記橋脚の外周との間の隙間を止水手段で止水し、止水完了後に仮締切り構造体内に入り込んでいる水を排水して、仮締切り構造体内を作業用ドライエリアとすることを特徴とする橋脚補修・補強工事に用いる仮締切り構造体の設置工法。
【請求項２】
前記仮締切り構造体を構築した後、橋脚の上方に平衡保持用天秤を設置し、この平衡保持用天秤の数箇所に設けられた降下索を前記仮締切り構造体に連結し、橋脚と仮締切り構造体とに降下用ガイドを設置し、前記平衡保持用天秤から前記降下索を介して仮締切り構造体を降下させて、前記降下用ガイドを介して橋脚に対し仮締切り構造体を降下させることにより、仮締切り構造体を略平衡状態に維持したまま橋下の水中に降下させることを特徴とする請求項１記載の橋脚補修・補強工事に用いる仮締切り構造体の設置工法。
【請求項３】
前記降下用ガイドは、前記橋脚外周の少なくとも対向部に設置される降下用レールと、前記仮締切り構造体内の少なくとも対向部に前記橋脚に向けて内向きに突設され突出先端に前記降下用レールに嵌合して滑走可能な滑走部材を有する滑走支持アームとから成ることを特徴とする請求項１，２のいずれか１項に記載の橋脚補修・補強工事に用いる仮締切り構造体の設置工法。
【請求項４】
前記仮締切り構造体は、中心部に前記貫通孔部が設けられている底板材の外周縁に、複数の分割壁材が前記橋脚の周方向および高さ方向に組み合せ連結されて有底筒状に構成されていることを特徴とする請求項１〜３のいずれか１項に記載の橋脚補修・補強工事に用いる仮締切り構造体の設置工法。
【請求項５】
前記止水手段は、前記仮締切り構造体底部の貫通孔部と前記橋脚との間に配設される止水シートと、この止水シートの外側に巻回状態に設けられ引動することにより止水シートを前記橋脚の外周面に密着させる締付索とから成ると共に、この締付索の引動部が前記仮締切り構造体の上部に設けられて、この締付索の引動部を、橋下の水面より上方位置で引動操作し得るように構成されていることを特徴とする請求項１〜４のいずれか１項に記載の橋脚補修・補強工事に用いる仮締切り構造体の設置工法。
【手続補正２】
【補正対象書類名】明細書
【補正対象項目名】全文
【補正方法】変更
【補正の内容】
【発明の詳細な説明】
【技術分野】
【０００１】
本発明は、河川や海などに設けられている橋脚の補修・補強工事に用いる仮締切り構造体の設置工法に関するものである。
【背景技術】
【０００２】
河川や海などに架けられた橋は、その橋脚に経年劣化や地震などにより損傷を生じると、補修・補強工事を行う。
【０００３】
具体的には、橋脚の周囲に筒状の仮締切り構造体を構築し、この仮締切り構造体によって水がその内側に入らないようにして作業スペース（ドライエリア）を確保する（例えば、特許文献１参照）。
【先行技術文献】
【特許文献】
【０００４】
【特許文献１】特開２００８−２９７７４８号公報
【発明の概要】
【発明が解決しようとする課題】
【０００５】
一般的に仮締切り構造体は、複数の分割壁材が橋脚の周方向および高さ方向に組み合せ連結されて筒状に構築されているが、従来、この分割壁材の連結・固定作業は、その大部分が潜水士により水中で行われている。
【０００６】
しかしながら、水中作業は、非常に厄介で作業期間が長期化してしまうと共に、危険を伴う。
【０００７】
本発明は、このような橋脚補修・補強工事に用いる仮締切り構造体の設置工法の改良に係るもので、仮締切り構造体の構築を水上で容易に行うことができ、構築した仮締切り構造体の水中への降下作業も容易に行われる極めて実用性に優れた橋脚補修・補強工事に用いる仮締切り構造体の設置工法を提供するものである。
【課題を解決するための手段】
【０００８】
添付図面を参照して本発明の要旨を説明する。
【０００９】
橋脚１の上方の非水没箇所に吊り足場２を設置し、この吊り足場２は、作業用底部10を備えて、この作業用底部10を備えた吊り足場２に、底部に橋脚１を貫通配設する貫通孔部４が設けられ橋脚１の外周を囲むように設置される仮締切り構造体３を構築し、橋脚１と仮締切り構造体３とに降下用ガイド５を設置し、この降下用ガイド５は、上下方向に長さを有する降下用レール11が前記橋脚１外周に設置されていて、この降下用レール11に沿って仮締切り構造体３が降下移動可能に構成され、前記吊り足場２の作業用底部10を除去した後、この降下用ガイド５を介して橋脚１に対し仮締切り構造体３を橋下の水中に降下させ、この仮締切り構造体３底部の前記貫通孔部４と前記橋脚１の外周との間の隙間を止水手段６で止水し、止水完了後に仮締切り構造体３内に入り込んでいる水７を排水して、仮締切り構造体３内を作業用ドライエリアとすることを特徴とする橋脚補修・補強工事に用いる仮締切り構造体の設置工法に係るものである。
【００１０】
また、前記仮締切り構造体３を構築した後、橋脚１の上方に平衡保持用天秤８を設置し、この平衡保持用天秤８の数箇所に設けられた降下索９を前記仮締切り構造体３に連結し、橋脚１と仮締切り構造体３とに降下用ガイド５を設置し、前記平衡保持用天秤８から前記降下索９を介して仮締切り構造体３を降下させて、前記降下用ガイド５を介して橋脚１に対し仮締切り構造体３を降下させることにより、仮締切り構造体３を略平衡状態に維持したまま橋下の水中に降下させることを特徴とする請求項１記載の橋脚補修・補強工事に用いる仮締切り構造体の設置工法に係るものである。
【００１１】
また、前記降下用ガイド５は、前記橋脚１外周の少なくとも対向部に設置される降下用レール11と、前記仮締切り構造体３内の少なくとも対向部に前記橋脚１に向けて内向きに突設され突出先端に前記降下用レール11に嵌合して滑走可能な滑走部材13を有する滑走支持アーム12とから成ることを特徴とする請求項１，２のいずれか１項に記載の橋脚補修・補強工事に用いる仮締切り構造体の設置工法に係るものである。
【００１２】
また、前記仮締切り構造体３は、中心部に前記貫通孔部４が設けられている底板材14の外周縁に、複数の分割壁材15が前記橋脚１の周方向および高さ方向に組み合せ連結されて有底筒状に構成されていることを特徴とする請求項１〜３のいずれか１項に記載の橋脚補修・補強工事に用いる仮締切り構造体の設置工法に係るものである。
【００１３】
また、前記止水手段６は、前記仮締切り構造体３底部の貫通孔部４と前記橋脚１との間に配設される止水シート16と、この止水シート16の外側に巻回状態に設けられ引動することにより止水シート16を前記橋脚１の外周面に密着させる締付索17とから成ると共に、この締付索17の引動部18が前記仮締切り構造体３の上部に設けられて、この締付索17の引動部18を、橋下の水面19より上方位置で引動操作し得るように構成されていることを特徴とする請求項１〜４のいずれか１項に記載の橋脚補修・補強工事に用いる仮締切り構造体の設置工法に係るものである。
【発明の効果】
【００１４】
本発明は上述のように、橋脚の上方の非水没箇所に吊り足場を設置し、この吊り足場は、作業用底部を備えて、この作業用底部を備えた吊り足場に、底部に橋脚を貫通配設する貫通孔部が設けられ橋脚の外周を囲むように設置される仮締切り構造体を構築するから、潜水士による厄介な水中作業を要することなく、吊り足場を利用して水上（非水没箇所）で仮締切り構造体を容易に且つ短期間で構築でき、しかも、橋脚と仮締切り構造体とに降下用ガイドを設置し、この降下用ガイドは、上下方向に長さを有する降下用レールが橋脚外周に設置されていて、この降下用レールに沿って仮締切り構造体が降下移動可能に構成されているので、吊り足場の作業用底部を除去した後、この降下用ガイドを介して水上で構築した仮締切り構造体を容易に且つ安定的に降下させて水中へ設置することができ、その後、この仮締切り構造体底部の貫通孔部と橋脚の外周との間の隙間を止水手段で止水し、止水完了後に仮締切り構造体内に入り込んでいる水を排水することによって仮締切り構造体内を作業用ドライエリアにできる極めて施工性に優れ、実用性に優れた橋脚補修・補強工事に用いる仮締切り構造体の設置工法となる。
【００１５】
また、請求項２記載の発明においては、移動平衡保持用天秤の数箇所に設けられた降下索を前記仮締切り構造体に連結し、この平衡保持用天秤から降下索を介して仮締切り構造体を降下させるから、前記降下用ガイドの降下ガイド作用に加えて、仮締切り構造体を傾かずに略平衡状態のまま安定的に降下させることができる一層実用性に優れた橋脚補修・補強工事に用いる仮締切り構造体の設置工法となる。
【００１６】
また、請求項３記載の発明においては、前記作用・効果を確実に発揮する降下用ガイドを簡易構成にして容易に設計実現可能となる一層実用性に優れた橋脚補修・補強工事に用いる仮締切り構造体の設置工法となる。
【００１７】
また、請求項４記載の発明においては、構築性に優れた仮締切り構造体を簡易構成にして容易に設計実現可能となる一層実用性に優れた橋脚補修・補強工事に用いる仮締切り構造体の設置工法となる。
【００１８】
また、請求項５記載の発明においては、仮締切り構造体底部の貫通孔部と橋脚の外周との間の隙間を簡易操作により止水可能となると共に、この止水作業を面倒な水中作業でなく水上で行うことが可能な止水手段を、簡易構成にして容易に設計実現可能となる一層実用性に優れた橋脚補修・補強工事に用いる仮締切り構造体の設置工法となる。
【図面の簡単な説明】
【００１９】
【図１】本実施例の橋脚に吊り足場を設置した状態を示す説明図である。
【図２】図１に続いて、吊り足場に仮締切り構造体を構築して平衡保持用天秤に連結し、仮締切り構造体と橋脚とに降下用ガイドを設置した状態を示す説明図である。
【図３】図２に続いて、吊り足場の作業用底部を除去し、降下用ガイドを介して仮締切り構造体を橋下の水中に降下させ、橋脚に浮上防止用ブラケットを固定して仮締切り構造体の浮上を防止した状態を示す説明図である。
【図４】図３に続いて、仮締切り構造体底部の貫通孔部と、橋脚外周との間の隙間を止水手段で止水（一次止水）した状態を示す説明図である。
【図５】図４に続いて、二次止水し、仮締切り構造体内の水を排水して仮締切り構造体内を作業用ドライエリアとした状態を示す説明図である。
【図６】本実施例の平衡保持用天秤、並びに平衡保持用天秤と仮締切り構造体との連結構造を示す説明平面図である。
【図７】本実施例の降下用ガイドを示す説明平面図である。
【図８】本実施例の止水手段（止水チューブ省略）を示す説明斜視図である。
【図９】本実施例の止水手段（止水チューブ省略）を示す別角度からの説明斜視図である。
【図１０】本実施例の止水手段を示す説明部分拡大断面図である。
【発明を実施するための形態】
【００２０】
好適と考える本発明の実施形態を、図面に基づいて本発明の作用を示して簡単に説明する。
【００２１】
橋脚１の上方の非水没箇所に作業用底部10を備えた吊り足場２を設置し、この吊り足場２に、底部に橋脚１を貫通配設する貫通孔部４が設けられ橋脚１の外周を囲むように設置される仮締切り構造体３を構築する。
【００２２】
即ち、潜水士による厄介な水中作業を要することなく、作業用底部10を備えた吊り足場２を利用して水上（非水没箇所）で仮締切り構造体３を容易に且つ短期間で構築することができる。
【００２３】
次いで、橋脚１と仮締切り構造体３とに降下用ガイド５を設置し、前記吊り足場２の作業用底部10を除去した後、この降下用ガイド５を介して橋脚１に対し仮締切り構造体３を橋下の水中に降下させる。
【００２４】
具体的には、この降下用ガイド５は、上下方向に長さを有する降下用レール11が前記橋脚１外周に設置されていて、この降下用レール11に沿って仮締切り構造体３が降下移動可能に構成されている。
【００２５】
即ち、降下用ガイド５により、仮締切り構造体３を容易に且つ安定的に降下させて水中へ設置することができる。
【００２６】
次いで、この仮締切り構造体３底部の前記貫通孔部４と前記橋脚１の外周との間の隙間を止水手段６で止水し、止水完了後に仮締切り構造体３内に入り込んでいる水７を排水して、仮締切り構造体３内を作業用ドライエリアとし、この作業用ドライエリア内で作業者が橋脚１の補修・補強工事作業を行うことができる。
【実施例】
【００２７】
本発明の具体的な実施例について図面に基づいて説明する。
【００２８】
本実施例は、河川や海などに架けられた橋の、橋脚１の補修・補強工事に用いる仮締切り構造体３の設置工法に関するものである。また、図面は円柱形の橋脚１を図示しているが、この形の橋脚１への設置工法に限定されるものではなく、橋脚１の形状に応じて仮締切り構造体３の形状等は適宜設計変更可能である。
【００２９】
以下、設置手順を説明する。
【００３０】
先ず、図１に示すように、橋脚１の上方の非水没箇所に吊り足場２を設置する。
【００３１】
具体的には、この吊り足場２は、橋脚１の上方部の全周囲を囲うようにして設置されていると共に、橋脚１の周囲に配設する例えば平面視リング形の作業用底部10（作業床）を備えていて、橋脚１上方部、即ち水上での作業者の作業スペースを確保している。
【００３２】
次いで、この吊り足場２に、底部に橋脚１を貫通配設する貫通孔部４が設けられ橋脚１の外周を囲むように設置される仮締切り構造体３を構築する。
【００３３】
具体的には、この仮締切り構造体３は、中心部に前記貫通孔部４が設けられている底板材14の外周縁に、複数の分割壁材15が前記橋脚１の周方向および高さ方向に組み合せ連結されて有底円筒状に構成されている。
【００３４】
また、この仮締切り構造体３は、先ず、吊り足場２で橋脚１の周囲に平面視リング状の前記底板材14を構築する。
【００３５】
この底板材14は、平面視リング状且つ板状の床板34の内縁部に、リング状の金属製内フレーム26が付設されると共に、床板34の外縁部にリング状の金属製外フレーム33が付設されて板状体に構成されている。
【００３６】
また、この底板材14は、その周方向に略等間隔を置いた四箇所に上面が一段低くなる凹所35が設けられ、この各凹所35には、後述する案内ローラー27が二個ずつ設けられている（図８，図９参照）。
【００３７】
この底板材14を吊り足場２の作業用底部10上に置き、次いで、この底板材14の外周縁部上に前記分割壁材15としての湾曲板状のライナープレート15を、前記橋脚１の周方向および高さ方向に複数組み合せ連結して所要高さの円筒状囲い壁20を形成することにより、有底円筒状の前記仮締切り構造体３を構築する（図２参照）。
【００３８】
また、底板材14と分割壁材15との連結構造は、前記外フレーム33が断面Ｈ形に構成されていて、この外フレーム33の上溝部に分割壁材15が嵌合連結されている（図８参照）。
【００３９】
次いで、橋脚１の上方に平衡保持用天秤８を設置し、この平衡保持用天秤８の数箇所に設けられた降下索９を前記仮締切り構造体３に連結する。
【００４０】
具体的には、平衡保持用天秤８は、図６に示すように、平面視正方形状の枠体で構成されていて、その四隅部（四箇所の角部）が前記橋脚１の幅広上部の四箇所に固定された吊り索21に連結されることによって、中央の空間部に前記橋脚１を貫通配設しつつ橋脚１の上方に水平吊り下げ状態で設置されており、さらに、この平衡保持用天秤８の四箇所の角部とこの各角部に対面する前記橋脚１の四箇所の外周面との間にパイプサポート22を架設して突っ張ることにより、平衡保持用天秤８が橋脚１に対して揺動不能状態に設置されている。
【００４１】
また、この平衡保持用天秤８は、その対角間距離が、前記仮締切り構造体３の囲い壁20の直径幅寸法と同等の距離寸法に設定構成されており、この平衡保持用天秤８の四隅部に前記降下索９が設けられ、この四隅部の降下索９が前記仮締切り構造体３の周方向に等間隔を置いた四箇所に連結されている。
【００４２】
また、この四箇所の各降下索９は、チェーンブロックなどの昇降装置（図示省略）によって昇降駆動可能に構成されており、昇降装置の制御により平衡保持用天秤８に対し仮締切り構造体３を降下移動し得るように設けられていると共に、この際、降下索９を介して連結されている平衡保持用天秤８が揺動不能な水平状態に固定されていることにより、仮締切り構造体３が傾くことなく略平衡状態に保たれて安定的に降下可能となるように構成されている。
【００４３】
次いで、昇降装置により仮締切り構造体３を少し上昇させ、後述する止水手段６を前記仮締切り構造体３の底部に設置した後、橋脚１と仮締切り構造体３とに降下用ガイド５を設置する（図２参照）。
【００４４】
具体的には、前記降下用ガイド５は、前記橋脚１外周面の少なくとも対向部に設置される上下方向に長さを有する降下用レール11と、前記仮締切り構造体３内の少なくとも対向部に前記橋脚１に向けて内向きに突設され突出先端に前記降下用レール11に嵌合して滑走可能な滑走部材13としてのボールベアリング13を有する滑走支持アーム12とで構成されている。
【００４５】
降下用レール11は、断面溝形（コ字形）の金属製長尺材（チャンネル材）で構成されており、その溝底部を前記橋脚１の外周面に沿わせて橋脚１に固定されている。
【００４６】
また、この降下用レール11は、橋脚１の外周面に、その周方向に等間隔を置いた四箇所（橋脚１の平面視中心に対し角度０度，９０度，１８０度，２７０度の各位置の外周面）に固定されている（図７参照）。
【００４７】
一方、滑走支持アーム12は、詳しく図示していないが断面Ｈ字形の金属製長尺材で構成されており、前記仮締切り構造体３の囲い壁20の内周面に、その周方向に等間隔を置いた四箇所（仮締切り構造体３の平面視中心に対し角度０度，９０度，１８０度，２７０度の各位置の内周面）に、中心に向けて水平突設するように構築し、この四箇所の滑走支持アーム12の先端の前記ボールベアリング13を、この滑走支持アーム12構築前に橋脚１に固定されている四箇所の前記降下用レール11に滑走可能に嵌合する（図７参照）。図中符号23は滑走支持アーム12の水平突設状態を補強すると共に、仮締切り構造体３の保形強度向上にも寄与する補強枠である。
【００４８】
また、このボールベアリング13付の滑走支持アーム12は、仮締切り構造体３内で上下二段に設けられている。
【００４９】
従って、四本（四箇所）の降下用レール11を合計八個のボールベアリング13が滑走することにより、橋脚１に対し仮締切り構造体３がスムーズに降下移動可能となるように構成されている。
【００５０】
次いで、前記吊り足場２の作業用底部10を除去し、前記昇降装置により平衡保持用天秤８から前記降下索９を介して仮締切り構造体３を降下させ、前記降下用ガイド５を介して橋脚１に対し仮締切り構造体３を降下させることにより、仮締切り構造体３を略平衡状態に維持したまま橋下の水中に降下させ、その後、仮締切り構造体３の囲い壁20の上縁部より上方に浮上防止用ブラケット24を配して橋脚１に固定し、この浮上防止用ブラケット24が仮締切り構造体３の囲い壁20の上縁部（後述する天端フレーム36）に接することによって、浮力により上昇しようとする仮締切り構造体３を水中に止める。図中符号25は、仮締切り構造体３の底板材14の上面と囲い壁20の内面との間の複数箇所に架け渡し状態に固定されることで底板材14と囲い壁20との連結強度を増強して、浮力を受ける底板部14が囲い壁20に対して浮上しようとすることを阻止する補強部材である。
【００５１】
尚、図面は、仮締切り構造体３を橋脚１の基礎（フーチング）まで到達させずに橋脚１の途中の位置に固定した場合を示している。
【００５２】
次いで、この仮締切り構造体３底部の前記貫通孔部４と前記橋脚１の外周との間の隙間を前記止水手段６で止水する。
【００５３】
具体的には、本実施例の止水手段６は、前記仮締切り構造体３底部の貫通孔部４と前記橋脚１との間に配設される止水シート16と、この止水シート16の外側に巻回状態に設けられ引動することにより止水シート16を前記橋脚１の外周面に密着させる締付索17とから成り、この締付索17の引動部18が前記仮締切り構造体３の上部に設けられて、この締付索17の引動部18を、橋下の水面19より上方位置で引動操作し得るように構成されている。
【００５４】
更に詳しくは、止水シート16は、底板材14の形状に対応するリング形を呈するものに形成されていて、底板材14の底面全面を下方から覆うように設けられている（図２〜図５及び図８〜図１０参照）。
【００５５】
また、この止水シート16の外側端部は、上方へ折り返されて底板材14の外周縁部に接着されており、止水シート16の内側端部は、上方へ折り返されて前記貫通孔部４の孔縁から底板材14の上面側へと配設され、フリーとなっている。
【００５６】
また、この止水シート16の上方へ折り返された内側端部付近の外側面には、この内側端部付近の略全周に渡って巻回状態に前記締付索17としての金属製ワイヤー17が付設されており、この締付索17の両端部は、所定位置で交差した後、夫々が底板材14に設けられた隣接二箇所の前記凹所35へと別々に配されて前記案内ローラー27に通され、この案内ローラー27により向きを変えられて上方へと案内されている（図８参照）。
【００５７】
また、この締付索17の両端（上端部）は、輪状に形成されてこの輪状端部が前記引動部18として構成され、この夫々の引動部18が、前記囲い壁20の上端に設置された引動装置28としてのレバーブロック（登録商標）に連結されている。
【００５８】
また、囲い壁20上端への引動装置28の設置構造は、囲い壁20の上端に被嵌されている断面Ｈ字状の金属製天端フレーム36の上溝部に、引動装置28に備わるフック部を引っ掛けることによって設置されている。
【００５９】
従って、引動装置28の操作により締付索17の両端の引動部18を引動操作でき、これにより止水シート16の内側端部が絞られて前記橋脚１の外周面に密着し、止水効果が得られるように構成されている。また、引動装置28が囲い壁20の上端に設けられているため、この止水作業の時点で水７が入り込んでいる仮締切り構造体３内で（水中で）作業者が止水作業を行う必要がなく、この止水作業を水上で容易に行うことができる。
【００６０】
また、この締付索17としての金属製ワイヤー17は、図１０に示すように、その外表面が弾性を有する素材製（例えばゴム（天然ゴム若しくは合成ゴム）製）のカバー部材29に覆われており、締付索17の締付時には、このカバー部材29が止水シート16を介して橋脚１の外周面に馴染んで密着し、高い止水効果を発揮するように構成されている。
【００６１】
また、止水シート16の内側端部付近の内側面には、弾性を有する素材製（例えばゴム（天然ゴム若しくは合成ゴム）製）の密着シート30が貼設されていて、この密着シート30が前記締付索17の締付けにより橋脚１の外周面に密着し高い止水効果を発揮するように構成されている（図１０参照）。
【００６２】
また、本実施例の止水手段６は、止水シート16の内側端部付近の外側面の前記締付索17より下方位置にシート滑止用締付索31としての金属製ワイヤー31が、締付索17と同様に内側端部付近の略全周に渡って巻回状態に付設されている。
【００６３】
具体的には、このシート滑止用締付索31の両端部は、前記締付索17のそれとは反対側で交差した後、夫々が、締付索17を配した前記凹所35の反対側に位置する隣接二箇所の凹所35へと別々に配されて前記案内ローラー27に通され、この案内ローラー27により向きを変えられて上方へと案内されている（図９参照）。
【００６４】
また、このシート滑止用締付索31の両端（上端部）は、輪状に形成されてこの輪状端部が引動部37として構成され、この夫々の引動部37が、前記締付索17と同様に前記囲い壁20の上端に設置された引動装置28に連結されている。
【００６５】
従って、引動装置28の操作によりシート滑止用締付索31の両端の引動部37を引動操作でき、これにより止水シート16の内側端部が絞られて前記橋脚１の外周面に圧着し、これによって止水シート16が位置決められるように構成されている。
【００６６】
このシート滑止用締付索31は、前記締付索17を締付けて止水した後、仮締切り構造体３内に入り込んでいる水７を排水した際に、この締付索17が仮締切り構造体３下方に存する水の浮力を受けて上動してしまうことを防止するために設けられている。
【００６７】
即ち、出願人の試験施工実験によると、締付索17を締付けて止水した後に仮締切り構造体３内の水７を排水すると、この締付索17が止水シート16とともに水の浮力で上動してしまうことがあったが、本実施例のように、シート滑止用締付索31を設けて、締付索17を締付けて止水した後、シート滑止用締付索31を引動して止水シート16位置決めし、その後仮締切り構造体３内の水７を排水するようにすると、締付索17の上動が防止されることを確認している。
【００６８】
また、このシート滑止用締付索31引動用の引動装置28が囲い壁20の上端に設けられているため、前記止水作業に続いてこのシート滑止用締付索31引動による止水シート16の位置決め（滑止）作業を行うが、この時点で水７が入り込んでいる仮締切り構造体３内で（水中で）作業者がこの引動作業を行う必要がなく、この作業を水上で容易に行うことができる。
【００６９】
また、本実施例の止水手段６は、二次止水として、弾性を有する素材製（例えばゴム（天然ゴム若しくは合成ゴム）製）のリング状止水チューブ32が用いられている。
【００７０】
この止水チューブ32は、前記止水シート16の内側端部付近の外側であって、前記締付索17より上方に配設されており、前記締付索17の引動による止水（一次止水）が行われて仮締切り構造体３内に入り込んでいる水７が排水された後、止水チューブ32内に空気を充填し、この止水チューブ32を膨張させて締付索17より上方位置の止水シート16も橋脚１外周面に密着させることにより、二重に止水するものである。
【００７１】
更に詳しくは、前記仮締切り構造体３の底板材14を構成する前記内フレーム26は、断面形状がＥ字形に形成されており、この内フレーム26の下段部に前記締付索17が収容配設され、上段部に前記止水チューブ32が収容配設されて止水手段６が底板材14に設置されている。
【００７２】
次いで、止水完了後に仮締切り構造体３内に入り込んでいる水７をポンプ等により排水して、仮締切り構造体３内を作業用ドライエリアとする。
【００７３】
尚、本発明は、本実施例に限られるものではなく、各構成要件の具体的構成は適宜設計し得るものである。
【符号の説明】
【００７４】
１  橋脚
２  吊り足場
３  仮締切り構造体
４  貫通孔部
５  降下用ガイド
６  止水手段
７  水
８  平衡保持用天秤
９  降下索
10  作業用底部
11  降下用レール
12  滑走支持アーム
13  滑走部材
14  底板材
15  分割壁材
16  止水シート
17  締付索
18  引動部
19  水面